【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
ＯＳカーネル層のオペレーティングシステムによって動作しアプリケーション層に備えられるアプリケーションによって所定の処理を実行する、１以上の通信ポートを有するコンピューターにおいて、前記アプリケーションから前記通信ポートへ出力される印刷データに対して価値を付加する処理、を実行させる価値付加方法であって、
前記コンピューターが、
前記印刷データを、当該通信ポートが受け取る前に、前記ＯＳカーネル層で取得するデータ取得工程と、
前記アプリケーション層で、予め前記コンピューターに登録された情報に基づいて、前記データ取得工程で取得された印刷データに対して、印刷内容の付加及び又は削除の処理を実行し、当該処理後のデータを所定の前記通信ポートへ出力するデータ処理工程と、を有する
ことを特徴とする価値付加方法。
【請求項２】
請求項１において、
前記印刷内容の付加及び又は削除の処理は、前記取得された印刷データに含まれる情報に基づいて決定される
ことを特徴とする価値付加方法。
【請求項３】
請求項１あるいは２において、
前記印刷内容の付加及び又は削除の処理は、前記コンピューターが保持する日時情報に基づいて決定される
ことを特徴とする価値付加方法。
【請求項４】
請求項１乃至３のいずれかにおいて、
前記データ処理工程は、選択の情報を受信する工程を有し、
前記印刷内容の付加及び又は削除の処理は、当該受信する選択の情報に基づいて決定される
ことを特徴とする価値付加方法。
【請求項５】
請求項１乃至４のいずれかにおいて、
前記データ処理工程は、前記印刷データに含まれる所定の情報を前記コンピューターに蓄積する工程を有し、
前記印刷内容の付加及び又は削除の処理は、当該蓄積した情報に基づいて決定される
ことを特徴とする価値付加方法。
【請求項６】
請求項１乃至５のいずれかにおいて、更に、
前記コンピューターに入力を促す画面を、前記コンピューターが備える表示部に表示し、当該画面に対する入力情報を受信して、当該受信した情報に従って、前記予めコンピューターに登録された情報を生成する工程を、有する
ことを特徴とする価値付加方法。
【請求項７】
請求項１乃至６のいずれかにおいて、
前記印刷データは、レシートのデータであり、前記印刷内容の付加は、クーポン券の付加である
ことを特徴とする価値付加方法。
【請求項８】
請求項１乃至６のいずれかにおいて、
前記印刷データは、レシートのデータであり、前記印刷内容の付加は、広告又はロゴの付加である
ことを特徴とする価値付加方法。
【請求項９】
ＯＳカーネル層のオペレーティングシステムによって動作しアプリケーション層に備えられるアプリケーションによって所定の処理を実行する、１以上の通信ポートを有するコンピューターで構成され、前記アプリケーションから前記通信ポートへ出力される印刷データに対して価値を付加する処理を実行する価値付加装置であって、
前記印刷データを、当該通信ポートが受け取る前に、前記ＯＳカーネル層で取得するデータ取得部と、
前記アプリケーション層で、予め前記コンピューターに登録された情報に基づいて、前記データ取得部で取得された印刷データに対して、印刷内容の付加及び又は削除の処理を実行し、当該処理後のデータを所定の前記通信ポートへ出力するデータ処理部と、を有する
ことを特徴とする価値付加装置。
【請求項１０】
請求項９において、
前記印刷内容の付加及び又は削除の処理は、前記取得された印刷データに含まれる情報に基づいて決定される
ことを特徴とする価値付加装置。
【請求項１１】
請求項９あるいは１０において、
前記印刷内容の付加及び又は削除の処理は、前記コンピューターが保持する日時情報に基づいて決定される
ことを特徴とする価値付加装置。
【請求項１２】
請求項９乃至１１のいずれかにおいて、
前記データ処理部は、選択の情報を受信し、
前記印刷内容の付加及び又は削除の処理は、当該受信した選択の情報に基づいて決定される
ことを特徴とする価値付加装置。
【請求項１３】
請求項９乃至１２のいずれかにおいて、
前記データ処理部は、前記印刷データに含まれる所定の情報を前記コンピューターに蓄積し、
前記印刷内容の付加及び又は削除の処理は、当該蓄積した情報に基づいて決定される
ことを特徴とする価値付加装置。
【請求項１４】
請求項９乃至１３のいずれかにおいて、更に、
前記データ処理部は、前記コンピューターに入力を促す画面を、前記コンピューターが備える表示部に表示し、当該画面に対する入力情報を受信して、当該受信した情報に従って、前記予めコンピューターに登録された情報を生成する
ことを特徴とする価値付加装置。
【請求項１５】
請求項９乃至１４のいずれかにおいて、
前記印刷データは、レシートのデータであり、前記印刷内容の付加は、クーポン券の付加である
ことを特徴とする価値付加装置。
【請求項１６】
請求項９乃至１４のいずれかにおいて、
前記印刷データは、レシートのデータであり、前記印刷内容の付加は、広告又はロゴの付加である
ことを特徴とする価値付加装置。
【請求項１７】
コンピューターに、請求項１乃至８のいずれか１項に記載の価値付加方法における各工程を実行させるためのプログラム。
【手続補正２】
【補正対象書類名】明細書
【補正対象項目名】発明の名称
【補正方法】変更
【補正の内容】
【発明の名称】価値付加方法、価値付加装置、及び、プログラム
【手続補正３】
【補正対象書類名】明細書
【補正対象項目名】００１１
【補正方法】変更
【補正の内容】
【００１１】
上記の目的を達成するために、本発明の一つの側面は、ＯＳカーネル層のオペレーティングシステムによって動作しアプリケーション層に備えられるアプリケーションによって所定の処理を実行する、１以上の通信ポートを有するコンピューターにおいて、前記アプリケーションから前記通信ポートへ出力される印刷データに対して価値を付加する処理、を実行させる価値付加方法であって、前記コンピューターが、前記印刷データを、当該通信ポートが受け取る前に、前記ＯＳカーネル層で取得するデータ取得工程と、前記アプリケーション層で、予め前記コンピューターに登録された情報に基づいて、前記データ取得工程で取得された印刷データに対して、印刷内容の付加及び又は削除の処理を実行し、当該処理後のデータを所定の前記通信ポートへ出力するデータ処理工程と、を有する、ことである。
【手続補正４】
【補正対象書類名】明細書
【補正対象項目名】００１４
【補正方法】変更
【補正の内容】
【００１４】
更にまた、上記の発明において、一つの態様は、前記データ処理工程は、選択の情報を受信する工程を有し、前記印刷内容の付加及び又は削除の処理は、当該受信する選択の情報に基づいて決定される、ことを特徴とする。
【手続補正５】
【補正対象書類名】明細書
【補正対象項目名】００１６
【補正方法】変更
【補正の内容】
【００１６】
更にまた、上記の発明において、その好ましい態様は、更に、前記コンピューターに入力を促す画面を、前記コンピューターが備える表示部に表示し、当該画面に対する入力情報を受信して、当該受信した情報に従って、前記予めコンピューターに登録された情報を生成する工程を、有する、ことを特徴とする。
【手続補正６】
【補正対象書類名】明細書
【補正対象項目名】００２０
【補正方法】変更
【補正の内容】
【００２０】
上記の目的を達成するために、本発明の更に別の側面は、コンピューターに、上記に記載の価値付加方法における各工程を実行させるためのプログラムである。